(57)【要約】  ＣＰＲを必要とする患者に胸部圧迫を行うための手動心肺機能蘇生装置である。装置は、ハンドルと、発泡体で満たされた変形可能なハウジングと、底板とを備える。変形可能なハウジングは、ハンドルに連結された第１の端部と、底板に連結された第２の端部とを備える。【選択図】図１
2015530186.tif 000002
【特許請求の範囲】
【請求項１】
ハンドルと、
前記ハンドルに接続された第１の端部および第２の端部を含む変形可能なハウジングと、
前記変形可能なハウジング内に配置された発泡体と、
前記ハウジングの前記第２の端部に取り付けられた、可撓材料から形成された底板と
を備える手動心肺機能蘇生装置。
【請求項２】
前記発泡体がＷＯＮＤＥＲＬＩＴＥから形成される、請求項１に記載の手動心肺機能蘇生装置。
【請求項３】
前記変形可能なハウジングが、前記第１の端部が前記第２の端部から第１の距離にある第１の構成と、前記第１の端部が前記第２の端部から第２の距離にある第２の構成との間で変形可能であり、前記第２の距離が前記第１の距離より小さい、請求項１に記載の手動心肺機能蘇生装置。
【請求項４】
前記変形可能なハウジングが実質的に円錐の形である、請求項１に記載の手動心肺機能蘇生装置。
【請求項５】
前記変形可能なハウジングに空洞が画定され、前記空洞が周囲空気と流体連通する、請求項１に記載の手動心肺機能蘇生装置。
【請求項６】
前記底板に連結されたシリコーンベースをさらに備える、請求項１に記載の手動心肺機能蘇生装置。
【請求項７】
前記変形可能なハウジングの前記第１の端部に連結された、前記ハンドル内に受け入れられるように構成された伸長可能な締結具をさらに備える、請求項１に記載の手動心肺機能蘇生装置。
【請求項８】
ハンドル、変形可能なハウジング、および、使用者に接している底板を具備する手動心肺機能蘇生装置を使用する方法であって、
前記ハンドルに第１の圧迫力を加えるステップと、
前記変形可能なハウジングを少なくとも部分的に圧縮するステップと、
前記第１の圧迫力と異なる第２の圧迫力を患者に加えるステップと
を含む方法。
【請求項９】
前記第１の力は前記第２の力より大きい、請求項８に記載の方法。
【請求項１０】
前記変形可能なハウジングを少なくとも部分的に圧縮するステップが、前記変形可能なハウジングの第１の端部を、前記変形可能なハウジングの第２の端部により近くに移動させることを含む、請求項８に記載の方法。
【請求項１１】
前記変形可能なハウジングが発泡体で満たされ、前記変形可能なハウジングを少なくとも部分的に圧縮するステップが、前記発泡体を圧迫させることを含む、請求項８に記載の方法。
【請求項１２】
排気開口が画定されたハンドルと、
空洞が画定された外壁を備え、かつ、第１の端部、および、前記第１の端部と反対の第２の端部を備える変形可能なハウジングであって、前記第１の端部が前記ハンドルに連結され、前記空洞が前記排気開口を介して外部空気と流体連通する変形可能なハウジングと、
前記空洞内に配置された発泡体と、
前記変形可能なハウジングの前記第２の端部に連結された、可撓材料から形成された底板と
を備える手動心肺機能蘇生装置。
【請求項１３】
前記変形可能なハウジングが、前記第１の端部が前記第２の端部から第１の距離にある第１の構成と、前記第１の端部が前記第２の端部から第２の距離にある第２の構成との間で変形可能であり、前記第２の距離が前記第１の距離より小さい、請求項１２に記載の手動心肺機能蘇生装置。
【請求項１４】
前記変形可能なハウジングが前記第１の構成と前記第２の構成との間で変形するとき、空気が前記排気開口から前記空洞に出入りする、請求項１３に記載の手動心肺機能蘇生装置。
【請求項１５】
所定間隔で聴覚的誘導メッセージおよび視覚的誘導メッセージのうちの一方を提供する電子部品モジュールをさらに備える、請求項１２に記載の手動心肺機能蘇生装置。
【請求項１６】
前記変形可能なハウジングが実質的に円錐の形である、請求項１２に記載の手動心肺機能蘇生装置。
【請求項１７】
前記変形可能なハウジングが１つまたは複数の折り目を含む、請求項１２に記載の手動心肺機能蘇生装置。
【請求項１８】
前記底板に連結されたシリコーンベースをさらに備える、請求項１２に記載の手動心肺機能蘇生装置。
【請求項１９】
前記変形可能なハウジングの前記第１の端部に連結された、前記ハンドル内に受け入れられるように構成された伸長可能な締結具をさらに備える、請求項１２に記載の手動心肺機能蘇生装置。
【請求項２０】
排気開口が画定されたハンドルと、
患者の胸に接するように構成されたシリコーンベースを備える底板と、
前記ハンドルに連結可能な第１の端部、および、前記底板に連結可能な第２の端部を備え、空洞が画定された変形可能なハウジングであって、発泡体で満たされ、圧力が前記ハンドルに加えられたときに第１の構成から第２の構成に変形するように構成された変形可能なハウジングと
を備える手動心肺機能蘇生装置キット。
【発明の詳細な説明】
【技術分野】
【０００１】
[0001]本発明は、心肺機能蘇生（ＣＰＲ）救助に関する。
【背景技術】
【０００２】
[0002]心肺機能蘇生すなわちＣＰＲは、人工呼吸（マウス・ツー・マウス人工呼吸法）と胸部圧迫との組み合わせである。人が適切に呼吸または血液の循環をしていない場合、ＣＰＲは、酸素を豊富に含む血液の脳および心臓への循環を回復できる。ＣＰＲは、心停止、事故、溺水、薬物の過剰摂取、窒息、中毒、煙の吸入、感電による負傷を含む、多くの異なる緊急事態の間に必要な可能性がある。
【０００３】
[0003]ＣＰＲは、互いの間が人工呼吸の時間によって分けられた、各々が特定の速さおよび力での多くの胸部圧迫を施すことを含んでいる。使用者がＣＰＲを実施しているとき、処置を実施する上での正確性が重要である。各々の胸部圧迫のタイミング、回数、および力は、人への治療の最大限の効果を確保するために、正確に実行されなければならない。さらに、ＣＰＲの提供は、強制的な状況の間に通常は行われるため、圧迫を追跡こと、規則正しいリズムを保つこと、および、一定の圧迫力を維持することは、特には訓練されていない使用者または新規に認定された使用者にとって、難しい可能性がある。
【発明の概要】
【発明が解決しようとする課題】
【０００４】
[0004]２０１０年にＡｍｅｒｉｃａｎ  Ｈｅａｒｔ  Ａｓｓｏｃｉａｔｉｏｎ  ａｎｄ  Ｉｎｔｅｒｎａｔｉｏｎａｌ  Ｌｉａｉｓｏｎ  Ｃｏｍｍｉｔｔｅｅ  ｏｎ  Ｒｅｓｕｓｃｉｔａｔｉｏｎは、ＣＰＲの指針を改訂した。Ｆｉｅｌｄ、Ｊ．Ｍ．ら、「Ｐａｒｔ  １：ｅｘｅｃｕｔｉｖｅ  ｓｕｍｍａｒｙ：２０１０  Ａｍｅｒｉｃａｎ  Ｈｅａｒｔ  Ａｓｓｏｃｉａｔｉｏｎ  Ｇｕｉｄｅｌｉｎｅｓ  ｆｏｒ  Ｃａｒｄｉｏｐｕｌｍｏｎａｒｙ  Ｒｅｓｕｓｃｉｔａｔｉｏｎ  ａｎｄ  Ｅｍｅｒｇｅｎｃｙ  Ｃａｒｄｉｏｖａｓｃｕｌａｒ  Ｃａｒｅ、」Ｃｉｒｃｕｌａｔｉｏｎ  １２２（１８  Ｓｕｐｐｌ  ３）：Ｓ６４０−５６（２０１０年１１月）を参照されたい。高品質なＣＰＲ（過剰に換気することのない十分な速さおよび深さ）の重要性が強調されており、また、専門家は、最初の胸部圧迫までの時間を短くすることが重要であることを認めている。そのため、一次救命処置のための治療介入の順番が、人工気道、呼吸、胸部圧迫（ＡＢＣ）から、胸部圧迫、人工気道、呼吸（ＣＡＢ）まで、新生児を除くすべての年齢層に対して変更されている。
【０００５】
[0005]改訂されたＣＰＲ指針（Ｂｅｒｇ、Ｒｏｂｅｒｔ  Ａ．ら、「Ｐａｒｔ  ５：Ａｄｕｌｔ  Ｂａｓｉｃ  Ｌｉｆｅ  Ｓｕｐｐｏｒｔ：２０１０  Ａｍｅｒｉｃａｎ  Ｈｅａｒｔ  Ａｓｓｏｃｉａｔｉｏｎ  Ｇｕｉｄｅｌｉｎｅｓ  ｆｏｒ  Ｃａｒｄｉｐｕｌｍｏｎａｒｙ  Ｒｅｓｕｓｃｉｔａｔｉｏｎ  ａｎｄ  Ｅｍｅｒｇｅｎｃｙ  Ｃａｒｄｉｏｖａｓｃｕｌａｒ  Ｃａｒｅ、」Ｃｉｒｃｕｌａｔｉｏｎ  １２２（１８  Ｓｕｐｐｌ  ３）：Ｓ６８５−Ｓ７０５（２０１０年１１月）によれば、胸部圧迫は、胸骨の下側半分にわたる圧力の強制的でリズミカルな適用から成る。これらの圧迫は、胸腔内圧を上昇させると共に心臓を直に圧迫することによって、血流を作り出す。これは、心筋および脳への血流と酸素の送り出しとを作り出す。効果的な胸部圧迫は、ＣＰＲの間に血流を提供するためには必須である。そのため、心停止にあるすべての患者は胸部圧迫を受けることが推奨されている。
【０００６】
[0006]効果的な胸部圧迫を提供するために、専門外の人およびヘルスケア提供者は、胸骨の下側半分にわたって強く押すと共に素早く押す必要がある。専門外の人およびヘルスケア提供者が、大人の胸を、１分間あたり少なくとも１００回の速さで、かつ、少なくとも５ｃｍ（２インチ）の圧迫深さで圧迫することが、妥当である。救助者は、次の圧迫の前に心臓を完全に満たすことができるように、各々の圧迫の後に、胸の完全な反動を可能にしなければならない。
【０００７】
[0007]救助者は、１分間あたりに行われる圧迫の回数を最大限にするために、途切れる頻度および間隔を最小限とするように努力しなければならない。３０：２の圧迫−換気の割合が推奨されている。
【０００８】
[0008]第１のＡＨＡ推奨のＣＰＲ手順では、胸部圧迫が開始されると、訓練された救助者は、以下のように、酸素供給および換気を提供するために、マウス・ツー・マウスまたはバッグマスクによって人工呼吸を行うべきである。
【０００９】
１．各々の人工呼吸を１秒間にわたって行う。
２．視認可能な胸の隆起を作り出すだけの十分な１回換気量を提供する。
３．２回の換気に対して３０回の胸部圧迫の、換気に対する圧迫の割合を用いる。
【００１０】
[0009]ＡＨＡは、Ｈａｎｄｓ  Ｏｎｌｙ（商標）  ＣＰＲとして知られる第２のＣＰＲ手順も推奨している。Ｈａｎｄｓ  Ｏｎｌｙ  ＣＰＲは、マウス・ツー・マウスの呼吸のないＣＰＲである。２０１０ＡＨＡ指針では、病院外での心停止における研究で、第三者からＨａｎｄｓ  Ｏｎｌｙ  ＣＰＲを受けた大人が、第三者からいずれかの種類のＣＰＲを受けなかった大人よりも生存する可能性のあることが報告されている。他の研究では、ヘルスケア専門家ではない人によって処置された心停止の大人の生存率は、Ｈａｎｄｓ−Ｏｎｌｙ  ＣＰＲまたは従来のＣＰＲのどちらでも同様であった。話を聞いてみると、第三者は、パニックがＣＰＲの実施に対する主な障害であると言っている。簡単なＨａｎｄｓ  Ｏｎｌｙの技法は、パニックと行動することへのためらいとを克服する助けとなり得る。
【課題を解決するための手段】
【００１１】
[0010]本発明は、「優れた善行者」および最初の対応者のための容易に利用可能な携帯型支援機構を提供するために構成されている。ＣＰＲのための簡単な使い捨ての携帯型支援製品を提供することで、「優れた善行者」になるという第三者の意欲を向上させることができる。
【００１２】
[0011]改訂されたＣＰＲ指針は、少なくとも１００回／分の速さでの胸部圧迫を推奨している。研究は、より高い圧迫の速さがより高い生存率と関連付けられることを示している。しかしながら、専門外の人または最初の対応者が１００回／分の推奨される速さで素早く圧迫を加えることは難しい。したがって、本発明は、推奨される速さでの素早い圧迫を達成することをより容易にする人間工学的な装置を提供する。その装置は、胸部圧迫の間に、ＣＰＲ対応者の手および手首を比較的自然な姿勢に留めさせる、一体的な滑らない円形のハンドルを特徴とする。装置は、１００圧迫／分のＡＨＡ推奨速さで「押す、押す、押す、・・・」とする選択的な音声の誘導メッセージ（ｐｒｏｍｐｔ）と組み合わされる、あらかじめプログラムされた言葉による命令セットも含む。
【００１３】
[0012]本発明は、前述のような効果的な胸部圧迫を提供するときに、専門外の人、救助者、またはヘルスケア提供者を支援するための装置に関する。ある例示の実施形態では、本発明は、手動心肺機能蘇生装置を提供する。その装置は、ハンドルと、ハンドルに接続された第１の端部および第２の端部を含む変形可能なハウジングと、変形可能なハウジング内に配置された発泡体と、ハウジングの第２の端部に取り付けられた、可撓材料から形成された底板とを備える。
【００１４】
[0013]別の例示の実施形態では、本発明は、排気開口が画定されたハンドルと、空洞が画定された外壁を備え、かつ、第１の端部、および、第１の端部と反対の第２の端部を備える変形可能なハウジングであって、第１の端部がハンドルに連結され、空洞が排気開口を介して外部空気と流体連通する変形可能なハウジングと、空洞内に配置された発泡体と、変形可能なハウジングの第２の端部に連結された、可撓材料から形成された底板とを備える手動心肺機能蘇生装置を提供する。
【００１５】
[0014]さらに別の例示の実施形態では、手動心肺機能蘇生装置キットが、排気開口が画定されたハンドルと、患者の胸に接するように構成されたシリコーンベースを備える底板と、ハンドルに連結可能な第１の端部、および、底板に連結可能な第２の端部を備え、空洞が画定された変形可能なハウジングであって、発泡体で満たされ、圧力がハンドルに加えられたときに第１の構成から第２の構成に変形するように構成された変形可能なハウジングとを備える。
【００１６】
[0015]本発明は、ハンドル、変形可能なハウジング、および、使用者に接している底板を具備する手動心肺機能蘇生装置を使用する方法も提供する。その方法は、ハンドルに第１の圧迫力を加えるステップと、変形可能なハウジングを少なくとも部分的に圧縮するステップと、第１の圧迫力と異なる第２の圧迫力を患者に加えるステップとを含む。
【図面の簡単な説明】
【００１７】
【図１】[0016]本発明の一実施形態による心肺機能蘇生装置の斜視図である。
【図２】[0017]図１に示した心肺機能蘇生装置の側面図である。
【図３】[0018]図１に示した心肺機能蘇生装置の上面図である。
【図４】[0019]図３の線４−４に沿って切り取られた断面図である。
【図５】[0020]本発明の一実施形態による心肺機能蘇生装置の斜視図である。
【発明を実施するための形態】
【００１８】
[0021]本発明は、その用途において、以下の記載もしくは実施形態で説明されたか、または、図面に示された構成部品の構造および構成の詳細に限定されないことは、理解されるものである。本発明は、他の実施形態も可能であり、様々な方法で実施または実行できる。また、本明細書で用いられている表現および専門用語は、説明の目的のためであり、限定するとして解釈されるべきではないことも、理解されるものである。
【００１９】
[0022]図１〜図４は、本発明の一実施形態による心肺機能蘇生（ＣＰＲ）装置１０を示している。ＣＰＲ装置１０は、使用者を支援する一方で患者にＣＰＲを実施するように構成されている。装置１０は、使用者によって保持され、また、患者の胸に配置され、そのときに、使用者が装置１０を短く素早い行程で繰り返し押し付けて、ＣＰＲ治療に従って胸部圧迫を実施する。使用中、装置１０は、患者に施される圧迫の力、タイミング、および回数のいずれか１つに関する聴覚的命令および／または視覚的命令を、使用者にリアルタイムで提供もできる。装置１０は、患者が何らかの有害な力を受けないように、使用者によって加えられる力を変える（例えば、小さくする）こともできる。
【００２０】
[0023]図１〜図４の図示した構造では、装置１０は、ハンドル１４と、患者の胸に配置可能な底カバー１８と、底カバー１８とハンドル１４との間で延在してそれらの間で力を伝達する変形可能なハウジング２２とを備えている。ある構造では、装置１０は、彼または彼女がＣＰＲを施す間に、視覚的命令および／または聴覚的命令を使用者に提供するために、電子部品組立体１６も備えている。
【００２１】
[0024]図１〜図４で示されているが、ＣＰＲ装置１０のハンドル１４は、外周を定める本体部２６と、その本体部２６から軸方向に延在して遠位端３４を作り出す支持環状部または突出部３０とを備えている。一構成において、ハンドル１４と突出部３０とは、ＡＢＳ、ＰｏｌｙＬａｃ材料から単一部品として成型される。図に示すように、本体部２６は実質的に円形とされているが、本体部２６に適した他の形も検討される。組み立てられたとき、突出部３０の遠位端３４は、変形可能なハウジング２２の一端に連結されるように形成される。操作中、使用者は、装置１０および最終的には患者に鉛直方向の力を与えることができるように、ハンドル１４を典型的にはその外周に沿って掴む。概して、使用者は、各々の圧迫について、圧迫する圧力を患者の胸に加えるために、両手を下向き方向にして、ハンドル１４に寄り掛かるか、または、ハンドル１４を押す。
【００２２】
[0025]図１、図３、および図４で最もよく示されているように、ハンドル１４の本体部２６は、中心部３８と、複数の径方向に延在するスポーク４６によって中心部３８に接続された外側部４２とを備えている。本体部２６は、外周を少なくとも一部画定するために、ハンドル１４の外側部４２に連結されつつ外側部４２に沿って延在する把持部５０も備えている。図示した構造では、把持部５０は、実質的に弓形の断面を形成し、滑らないスチレンブタジエンコポリマーで外側被覆されている。把持部５０は、使用者がハンドル１４を保持または把持するのを支援するために、付加構造のための突条５４を備えてもよい。代替の構造では、把持部５０は、代替の人間工学的に適切な断面を形成してもよく、または、１つまたは複数の指用の溝を備えてもよい。
【００２３】
[0026]本体部２６は、聴覚的キューおよび／または視覚的キューを使用者に提供するために、電子部品モジュール１６を内部に収容する大きさとされた第１の室５８も画定する。室５８は、音の出力および空気流のために穿孔が形成されたカバー６２（図４参照）によって少なくとも一部画定される。ある構造では、カバー６２は、内部に収容された電子部品モジュールを作動させるために、ボタンまたは他の使用者用入力部を備えてもよい。図５に示されている別の構造では、電子部品モジュール１６はハンドル１４に搭載されている。
【００２４】
[0027]電子部品モジュール１６は、ＡＨＡ  ＣＰＲ指針の推奨と一致する所定間隔で聴覚的誘導メッセージおよび／または視覚的誘導メッセージを提供するように構成されており、メトロノームの効果を提供する。電子部品モジュール１６は、内部に収容された電子回路と、電子部品モジュール１６が作動していることを示すために点灯するように、および／または、ＡＨＡ  ＣＰＲ指針の推奨と一致する所定間隔で点灯するように作動可能な１つまたは複数のランプまたはＬＥＤとに電力供給するために、電池（例えば、Ｄｕｒａｃｅｌｌ  ３Ｖ１２３／Ｕｌｔｒａ  ｂａｔｔｅｒｙ）を備えてもよい。
【００２５】
[0028]本体部２６は、変形可能なハウジング２２と周囲空気との間で流体連通を可能にするために、複数の排気開口６６も画定する。別の言い方をすれば、空気は、ＣＰＲ行為の間に変形可能なハウジング２２が圧縮および伸長するとき、変形可能なハウジング２２に自由に出入りすることが可能である。
【００２６】
[0029]図１〜図５で示されているが、装置１０の変形可能なハウジング２２は、複数のひだまたは折り目７４と、第１の周囲を有する第１の端部７８と、第１の周囲より大きな第２の周囲を有する第２の端部８２とを備える外壁７０を有する、いくぶん円錐の形である。ハウジング２２は、低密度ポリエチレン（ＬＤＰＥ、ポリマーＥとしても知られ得る）を含み得る。組み立てられるとき、ハンドル１４の遠位端３４はハウジング２２第１の端部７８に取り付けられ、底カバー１８はハウジング２２の第２の端部８２に連結され、それらの間に室８６を画定する（図４参照）。より具体的には、伸長可能なプラスチックの締結具が、機械的に展開されてハウジング２２の第１の端部７８に固定され、突出部３０内に受け入れられるか、または、突出部３０に挿入される。伸長可能なプラスチックの締結具は、患者に使用する前に、ハンドル１４とハウジング２２とを組み立てるために展開される。
【００２７】
[0030]変形可能なハウジング２２は、外壁７０の室８６内に配置された発泡体９０も備えている。発泡体９０は、ＣＨＩ  ＭＥＩ  Ｃｏｒｐｏｒａｔｉｏｎによって供給されるＷＯＮＤＥＲＬＩＴＥ（登録商標）  ＰＣ−１２２などのポリカーボネートから概して形成される。ある構造では、発泡体は、室８６に注入され、発泡体を外壁７０の形および大きさに伸長、硬化、および一致させることができる。別の構造では、発泡体は、複数のあらかじめ形成された楔形の部品が、１回で１つずつ、室８６が満たされるまで挿入されることで、ハウジング２２に段階的に挿入できる。
【００２８】
[0031]使用中、発泡体９０は、ハンドル１４に与えられた力の少なくとも一部を、底板１８を介して患者に伝達する。より具体的には、発泡体コア９０は変形またはそれ自体で折り畳まれ、患者が第２のより小さい力を受けるように、使用者によって与えられた力の一部を吸収する。発泡体で満たされた変形可能なハウジング２２と、その変形特性とは、単純なバネと類比できる。発泡体で満たされた変形可能なハウジング２２は、単純なバネとしては純粋に振舞わないが、事実上のバネ定数、つまり、力／距離の比率は、実験的な試験の後、約２．８７Ｎ／ｍ（約２５．４ｌｂｆ／ｉｎ）となるように決定される。
【００２９】
[0032]大まかに言えば、変形可能なハウジング２２は、第１の端部７８が第２の端部８２から第１の距離にある第１の構成と、第１の端部７８が第２の端部８２から第２の距離にある第２の構成との間で変形し、その第２の距離は第１の距離より小さくなっている。例えば、第１の構成では、第１の距離は装置１０が静置している状態であらかじめ決定されており、一方、第２の構成では、第２の距離は変化可能（しかし、ハウジング２２の高さに基づいた範囲）であり、ハウジング２２が圧迫されるように、ある大きさの力が装置に加えられている。一例では、第１の距離は約５０ｍｍ〜５８ｍｍの範囲にあり、第２の距離は約０ｍｍ〜５３ｍｍの範囲にある。図示した実施形態では、第１の距離は約５４ｍｍである。装置１０は、ある範囲の力を患者に加えるときに使用者を支援できる。例えば、実験条件のもとでの装置１０の試験は、装置１０が、約４．４５〜６．１０ｃｍ（約１．７５〜２．４インチ）の胸の変位に対して、約４４４．８〜６００．５Ｎ（約１００〜１３５ｌｂｆ）の圧迫力を患者の胸に加えることができることを示している。より具体的には、装置１０は、約４．４５〜５．５９ｃｍ（約１．７５〜２．２インチ）の胸の変位に対して、約４４４．８〜５５６Ｎ（約１００〜１２５ｌｂｆ）の圧迫力を患者の胸に加えることができる。
【００３０】
[0033]変形可能なハウジング２２は、室８６の容積が圧縮／変形によって増加および低下するとき、空気がハンドル１４の排気開口６６を通じて室８６に自由に出入りできるように構成されている。さらに、発泡体９０および外壁７０の弾性は、ハウジング２２を第１の構成に自然に戻させる。
【００３１】
[0034]図４で最もよく示されているように、装置１０の底板１８は、シリコーンゴム、他の適切な材料、または材料の組み合わせなど、可撓性材料から形成されており、患者の胸の輪郭に接して一致するように構成されている。シリコーンゴムは、患者への均一に分散されたエネルギーの送達をもたらす。図に示すように、底板１８は、ハウジング２２の第２の端部８２の形に概して補完的に成形されている。底板１８は、上方部１１０と下方部１１４とを有する環状壁１０２を備えている。上方部１１０は、上向きに、かつ、底板１８の中心線に向かって径方向内向きに延びている。下部１１４は、下向きから次に上向きに、かつ、底板１８の中心線から径方向外向きに延びることで、溝１０６を形成している。底板１８の上方部１１０は、組み立てられるときに環状壁１０２がハウジング２２と摩擦嵌合で連結するように、ハウジング２２の第２の端部８２内に受け入れられるように構成されている。より具体的には、環状壁１０２は、外壁７０の折り目７４のうちの１つを包囲する。組み立ての間、ハウジング２２の第２の端部８２またはその一部は、底板１８の上方部１１０を受け入れるために、若干変形できる。
【００３２】
[0035]底板１８の下方部１１４は、ＣＰＲ行為の間、使用者の胸と係合するように構成されている。下部１１４は、容易に変形して患者と密着するように設計された湾曲した形で、径方向外向きに延びている。底板１８は、圧迫の間に装置１０を固定または安定させるために、患者の胸に適用できるシリコーンベース１１８（例えば、医療グレード）も備えている。
【００３３】
[0036]図示した構造では、底板１８と患者との間の容積の空気が、ハウジング２２の室８６と流体連通しており、その室８６は外部空気とさらに流体連通する。このようにして、本発明は、圧迫のみの装置であり、別の言い方をすれば、底板１８は、患者に吸引されず、患者を減圧させることがないことを意味している。
【００３４】
[0037]ＣＰＲ装置１０は、一体品として組み立てられる。組み立ての順序は、本説明によっては意図されていない。底板１８の上部は、ハウジング２２の第２の端部９４に連結される。ハンドル１４の遠位端４２は、ハウジング２２の第１の端部９０に連結され、電子部品組立体は、ハンドル１４の室５８内に少なくとも一部受け入れられる。
【００３５】
[0038]本発明は、すぐに使えるキットも提供する。キットは、手袋、おしぼり、顔面保護体、および使用説明書を具備する受け皿または包装材と一緒に、ボール箱内で支持されたあらかじめ組み立てられた装置１０を備えている。他の品物がキットに含まれてもよい。ある構成のキットでは、装置１０は、完全にはあらかじめ組み立てられていない。例えば、ハンドル１４およびハウジング２２は、使用者が底板１８をハウジング２２に連結する必要があるだけであるように、あらかじめ組み立てられてもよい。
【００３６】
[0039]本発明の様々な特徴および利点が、以下の請求項において説明されている。
【図１】
2015530186.tif 000003
【図２】
2015530186.tif 000004
【図３】
2015530186.tif 000005
【図４】
2015530186.tif 000006
【図５】
2015530186.tif 000007
【国際調査報告】
2015530186.tif 000008
2015530186.tif 000009
2015530186.tif 000010